(57)【要約】　　　（修正有）【課題】運転者が空調機器に妨げられることなく車体の左右いずれからも同じように容易に乗降できるようにしたキャビン付きフォークリフトの空調機器取付け構造を提供することを目的とする。【解決手段】空調機器１２が、運転台の前面を仕切るエプロン６の後側で、右側のティルトシリンダ受け８を覆うカバー９の上側のスペースに配置され、ブラケット１３を介して前記エプロン６のエプロン隅柱７と右側のカバー９に固定される。これにより、従来の空調機器の取付け構造により占拠されていた右側のステッププレート上側のスペースが空き運転者が右側からも容易に運転台に乗降できるようになった。【選択図】図１
2004091144.tif 000002
【特許請求の範囲】
【請求項１】
空調機器が、運転台の前面を仕切るエプロンの後側で、左右いずれか一方のティルトシリンダ受けを覆うカバーの上側のスペースに配置され、前記エプロン及び／又は左右いずれか一方のカバーに支持されることを特徴とするキャビン付きフォークリフトの空調機器取付け構造。
【請求項２】
前記空調機器が前記エプロンの左右の端部に設けられる左右いずれか一方のエプロン隅柱から後方に延出されたステーの横内側に支持されることを特徴とする請求項１に記載のキャビン付きフォークリフトの空調機器取付け構造。
【請求項３】
前記ステーが横外側から見てこれに支持された空調機器を覆い隠す延板状に形成されることを特徴とする請求項２に記載されたキャビン付きフォークリフトの空調機器取付け構造。
【請求項４】
前記空調機器への配線及び／又は配管が前記エプロンとその後側に固定されるダッシュボードとの間を通って該空調機器に接続されることを特徴とするキャビン付きフォークリフトの空調機器取付け構造。
【請求項５】
前記空調機器が暖房機能、冷房機能、空気浄化機能、調湿機能、脱臭機能、イオン調整機能のうちの少なくとも１機能を備えるものであるキャビン付きフォークリフトの空調機器取付け構造。
【発明の詳細な説明】
【０００１】
【発明の属する技術分野】
本発明は、キャビン付きフォークリフトの空調機器取付け構造に関する。
【０００２】
【従来の技術】
図９の側面図に示すように、従来、カウンタバランス型フォークリフトのように、運転者が乗車して操縦するフォークリフト１００においては、例えば冷蔵庫内の冷気から運転者を保護するために運転台１０２、バッテリルーム１１１及びその上側に設けた運転座席１１２を覆うキャビン１１３を設け、このキャビン１１３内に暖房機能を有する空調機器、即ち、ヒータ１０５を配置するものがある。
【０００３】
図１０の側面図に示すように、従来のフォークリフトの空調機器取付け構造では、フレーム１０１の前部中央に設けられる運転台１０２の左右に、該運転台１０２に乗降するためのステップ１０３が設けられ、左右いずれか一方のステップ１０３の上に運転台１０２の床面の高さよりも高く立上るヒータブラケット１０４を固定し、このヒータブラケット１０４の上にヒータ１０５を固定している。
【０００４】
ヒータブラケット１０４はヒータ１０５の平面積と同等以上の底面積を有しており、ステップ１０３上の空間の２分の１から３分の２程度を占めている。又、このヒータブラケット１０４はヒータ１０５を運転台１０２の床面以上に高く支持するために、ステップ１０３から運転台１０２に床面以上の高さを有しており、縦枠１０４ａや補強用の横枠１０４ｂが目立つ複雑な形状に形成されている。
【０００５】
又、ヒータ１０５への配線には運転台１０２の後側に設けられるバッテリルームから運転台１０２の左右いずれか一方の縁とヒータブラケット１０４の後面及び上面に沿って引まわされる部分がある。
【０００６】
なお、ステップ１０３の前方には、運転台１０２の前面を仕切るエプロン１０６の隅柱、即ち、エプロン隅柱１０７と、このエプロン隅柱１０７の後方でティルトシリンダの一端を支持するティルトシリンダ受け１０８と、エプロン隅柱１０７から後方でこのティルトシリンダ受け１０８を上方、後方及び横外側方から覆うカバー１０９が設けられ、このエプロン１０６の後側でカバー１０９の上側の空間は、運転台１０２への乗降や運転操作には使われないいわばデッドスペースになっている。
【０００７】
【発明が解決しようとする課題】
ところで、この従来のキャビン付きフォークリフトの空調機器取付け構造は、上述したように、ステップ１０３上の空間の２分の１から３分の２程度をヒータブラケット１０４が占めるので、ヒータ１０５が設けられる側のステップ１０３はヒータブラケット１０４が乗降の妨げになり、ユーザに不便を強いることになるので好ましくないという問題がある。
【０００８】
本発明は、この従来技術の課題を解消し、運転者が空調機器に妨げられることなく車体の左右いずれからも同じように容易に乗降できるようにしたキャビン付きフォークリフトの空調機器取付け構造を提供することを目的とする。
【０００９】
【課題を解決するための手段】
この目的を達成するため、本発明に係るキャビン付きフォークリフトの空調機器取付け構造（以下、本発明という。）は、空調機器が、運転台の前面を仕切るエプロンの後側で、左右いずれか一方のティルトシリンダ受けを覆うカバーの上側のスペースに配置され、ブラケットを介して前記エプロン及び／又は左右いずれか一方のカバーに固定されることを特徴とするという技術的手段を採用する。
【００１０】
これによれば、空調機器はこれまで運転者の運転台への昇降や、運転操作に関係のない、いわばデッドスペースであるカバーの上側の空間に配置されるので、従来の空調機器取付け構造により占拠されていたステッププレートの上側の空間が空けられると共に、空調機器が運転者の運転台への乗降の妨げになることはなくなり、左右いずれ側からも同じように容易に運転台に乗降できるようになる上、キャビン内のデッドスペースを有効に利用できることになる。
【００１１】
又、本発明によれば、このカバーの上側の空間はアクセルペダルやブレーキペダルが配置される空間の真横に位置するので、このカバーの上側に配置した空調機器から調整された気流を真横に吹き出すことにより、容易に運転者の足元に調整された気流を送り込める。
【００１２】
もちろん、ステッププレートの上側の空間が空けられるので、ステップ周りの外観がすこぶる簡素になり、空調機器取付け構造によりステップ周りの美観が損なわれることはない。
【００１３】
ところで、本発明において、空調機器とは、キャビン内の空気を吸引し、人体に好ましい雰囲気に改善してキャビン室内に排出する機器をいい、例えば暖房機能、冷房機能、空気浄化機能、調湿機能、脱臭機能、消臭機能、イオン調整機能のうちの少なくとも１機能を備えるものであればよい。
【００１４】
ここで、暖房機能とは暖気を供給する機能であり、冷房機能とは冷気を供給する機能であり、空気浄化機能とは、空気中の水分以外の異物を除去する機能、空気中の有害物質を化学反応により無害化する機能、空気中の有害物質を吸着や収着などにより除去する機能のうちの少なくとも１つの機能である。又、調湿機能には加湿機能と除湿機能とが含まれ、脱臭機能には、有臭物質を化学反応により無臭化する機能、有臭物質を吸着ないし収着して除去する機能などが含まれる。消臭機能とは例えば芳香剤などを用いて悪臭に対する感応性を減退ないしは喪失させる機能であり、イオン調整機能とは空気中の適当な分子を帯電させて例えばマイナスイオンを帯びた雰囲気を形成する機能である。
【００１５】
この空調機器は、例えば発熱体などのハウジングの内部に空気を人体に好ましい雰囲気に改質する本体と、この本体を貫流する気流を形成する送風機とを備え、前記ハウジングにはキャビン内の空気を吸入するための吸気口と、改質された空気をキャビン内に放出するための排気口とが形成される。
【００１６】
これら吸気口及び排気口の開口方向は、特に限定されないが、空調機器の機能を効率的に作用させるために、排気口は運転台に向けて開口させることが好ましく、例えば暖房や冷房の機能はその機能が最も効果的に作用する運転台前半部、即ち、運転者の足元に向けて開口させることが好ましい。
【００１７】
本発明によれば、前記空調機器が運転手の足元の真横に配置されるので、排気口を真横に向けて開口させることにより、容易に運転者の足元に改質された空気を送出すことができるようになる。
前記吸気口は、この排気口と同じ向きに開口させたり、排気口と直交する方向に開口させたりしてもよいが、空調機器の内部構造を簡単にするためは、互いに背反する面に形成されていることが好ましい。
【００１８】
ところで、前記空調機器は、エプロンとカバーとの一方又は両方に直接に、又は適当なブラケットを介して支持させればよいが、この空調機器及び／又はブラケットを運転台の床上空間に張出させることは、アクセルペダルなどの運転操作具の配置について自由度を損なうおそれがあるので好ましくない。
【００１９】
前記空調機器は、エプロンのみに支持させたり、カバーのみに支持させたりしてもよいが、空調機器を確実にかつ安定よく車体に支持させるために、エプロン及びカバーに支持させることが好ましい。
【００２０】
ところで、前記エプロンはその左右両端部でフェンダプレートの上面から立上げられるエプロン隅柱と、フェンダプレートどうしを構造的に連結するエプロンプレートと、このエプロンプレートよりも上側に固定される配線、配管用のエプロンカバーとを備え、このエプロンカバーに配線、配管などが支持され、エプロンの後側にはこれら配線、配管などを後方及び上方から覆い隠すダッシュボードが設けられる。
【００２１】
さて、前記ブラケットをエプロンに支持させる場合には、ブラケットはこれらエプロン隅柱、エプロンプレート、及びエプロンカバーの中の１つ又は２つ以上に支持させればよいが、組立作業性、空調機器の点検、整備、交換のための着脱作業性を良くするために、前記エプロン隅柱に該エプロン隅柱から後方に延びるステーを固定し、このステーの横内側に空調機器を直接に、又はブラケット介して、ボルトなどにより容易に分解できるように固定することが好ましい。
【００２２】
又、この場合、ステーと空調機器との間、ステーとブラケットとの間、空調機器とブラケットとの間などに防振材を介在させて、車体振動の空調機器への伝播を遮断するようにしてもよい。
【００２３】
ここで、このステーが横外側から見て該ステーに直接支持させた空調機器を覆い隠す延板状に形成されると、空調機器の取付け構造が横外側から見てすこぶる簡素な外観になり、縦枠や補強用の横枠が目立つ複雑な形状に形成されている従来のヒータブラケットに比べて、空調機器の取付け構造そのものとして、又、空調機器が取付けられる側のステップ及び運転台の周りの部分としても、飛躍的に美観を高めることができ、しかも、ステーに通風口を形成せずに済むのでステーの部品加工コストを安価にできる。
【００２４】
ステーと空調機器との間にブラケットが介在する場合には、ステーを横外側から見て空調機器及びブラケットを覆い隠す延板状に形成することにより同様の効果を得ることができる。
【００２５】
前記空調機器をカバーに支持させる構造は、特に限定されず、例えばティルトシリンダ受けを上方から覆うカバーの上面に空調機器が直接に支持される構造を採用してもよい。しかし、空調機器がブラケットを介して前記カバーの上面から浮き上がらせるようにカバーに支持され、前記カバーの振動で空調機器が打撃されることにより生じる打撃音ないしビビリ音が発生することを防止することが好ましい。
【００２６】
具体的には、例えば空調機器を支持するブラケットの底板から下方に延びるフランジが延設され、このフランジがティルトシリンダ受けを後方から覆うカバーの後面、ティルトシリンダ受けを横外側方から覆うカバーの横側面、及びカバーの上面から選ばれた少なくとも１つの面に固定されることにより、前記ブラケットの底板がカバーの上面から浮くように固定される構造を採用すると、車体振動によりカバーの上面が振動しても、カバーがブラケットの底板を打撃するおそれがなくなり、打撃音、ビビリ音などの騒音の発生を防止することができる。
【００２７】
ところで、必要に応じて設けられる前記ブラケットの形状は、空調機器を支持し、エプロン、カバー及び運転台床板から選択された少なくとも１つに支持される形状に形成してあればよく、例えばエプロン隅柱とカバーとに支持される場合には、エプロン隅柱に後方に延びるステーが連設され、このステーの横内側に好ましくは防振部材を介して固定される立板と、この立板の下縁から横内側に直角に延出される底板と、この底板の後縁から下方に延出され、前記カバーに固定されるフランジとを備え、前記底板に前記空調機器が固定される形状を採用することができる。
【００２８】
なお、この立板に向かって空調機器の吸気口を開口させる場合には、前記吸気口に空気を流入させるための通気口を形成したり、立板の形状を吸気口の一部又は前部を開放する形状に形成したりしてもよいが、立板と吸気口との間に通風空間を隔てて空調機器を底板に支持させ、立板を空調機器の大部分を横外側から覆い隠す延板状に形成することが、ブラケットのステーへの取付け構造を強固にできると共に、ブラケットの部品加工コストを安価にできるので好ましい。
【００２９】
又、前記立板と底板との前後の一方又は両方の側縁どうしを連結する補強板を設けると、立板と底板との挟角が開くことが防止されるので好ましい。
【００３０】
ところで、本発明によれば、空調機器への配線及び配管は、例えばエプロンとこれの後側に設けられるダッシュボードとの間を通って該空調機器に接続することができる。これにより、空調機器への配線及び／又は配管をキャビン内にほとんど露出させずに済み、しかも、露出している部分も運転者が歩いたり、他物が突入したりするおそれのないカバーの上側に配線されるので、運転者が足に引っ掛けたり、他物が引っ掛ったりして断線するおそれがなくなるのである。
【００３１】
【発明の実施の形態】
本発明の実施例に係るキャビン付きフォークリフトの空調機器取付け構造を図面に基づいて具体的に説明すれば、以下の通りである。
【００３２】
図面において、図１は本発明の一実施例に係るキャビン付きフォークリフトの空調機器取付け構造の側面図であり、図２はその平面図であり、これら図１及び図２に示すように、このフォークリフトのフレーム１には左右に適当な間隔を置いて配置された左右のレテラルプレート２と、各ラテラルプレート２の左右各横外側に水平に突付け溶接された左右のステッププレート３と、左右のラテラルプレート２の上側に溶接された運転台の床板４と、各ステッププレート３の前縁から前方に連出された左右のフェンダプレート５とを備える。
【００３３】
各フェンダプレート５はステッププレート３の前縁に連続して斜め前上方に延びる傾斜部５ａとこの傾斜部５ａの前縁からほぼ水平に前方に張出させた水平部５ｂとを備え、この水平部５ｂの上面には運転台の前面に配置されるエプロン６の左右両側のエプロン隅柱７が立上げられ、これよりも後方の傾斜部５ａの上面にティルトシリンダ受け８が溶接される。
【００３４】
又、フェンダプレート５の上側にはエプロン６から後方で前記ティルトシリンダ受け８を上側と後側と左又は右の横外側から覆うカバー９が設けられる。
【００３５】
このカバー９よりも後方の前記ラテラルプレート２の横外側面は蹴込板１０で覆われ、又、このカバー９よりも後方のステッププレート３の上側には補助ステップ１１が設けられる。
【００３６】
さて、前記エプロン６の後方で、右側カバー９の上側空間には例えば暖房機能を有する空調機器１２、即ち、ヒータが配置され、この空調機器１２はブラケット１３を介して前記エプロン６及びカバー９に支持されている。
【００３７】
即ち、右側のエプロン隅柱７の後側面には、前記右側のカバー９上側に後方に延びるステー１４が例えば溶接で固定される。
図３は前記ブラケットの縦断正面図であり、図４はその右側面図であり、図５はその平面図である。これら図３ないし図５に示すように、前記ブラケット１３は、前記ステー１４に平行に垂直に立ち上がる立板１３ａと、この立板１３ａの下縁から内側、即ち、左側に直角に延びる底板１３ｂと、底板１３ｂの後縁から下方に延びるフランジ１３ｃと、立板１３ａと底板１３ｂの前後の側縁どうしを連結する補強板１３ｄとを備えている。
【００３８】
図１に示すように、このブラケット１３は、前記カバー９の上面９ａに底面１３ｂが平行になるように、該上面９ａから底面１３ｂが浮き上がった位置に配置される。そして、図２に示すように、その立板１３ａが前記ステー１４の内側面に受止められ、４本のボルト１５により該ステー１４に固定される一方、図１に示すように、フランジ１３ｃがカバー９の後面９ｂの上部にボルト１６により固定されることにより、前記エプロン隅柱７とカバー９とに固定される。
【００３９】
図６は前記空調機器１２の右側面図であり、図７はその平面図であり、図８はその正面図である。これら図６ないし図８に示すように、前記空調機器１２は、ブロア１２ａと、これの風下側に配置される発熱体１２ｂと、これらを収容する筒状のハウジング１２ｃと、火傷防止用の安全ガード板１２ｄとを備え、このハウジング１２ｃのブロア風上側の面には吸気口１２ｅが開口され、その反対側の面には排気口を開口してある。
【００４０】
この空調機器１２を、吸気口１２ｅ側の面をブラケット１３の立板１３ａに向けて、前記立板１３ａ及び補強板１３ｄから通風空間を隔てて２本のボルト１７で底板１３ｂに固定することにより、キャビン内の空気を吸気口１２ｅから吸入し、発熱体により加熱された気流を排気口から運転者の足元に向かって吹き出させるようにしている。
【００４１】
ところで、前記エプロン６には種々の配線や配管を支持させてあり、前記空調機器１２への配線もこのエプロン６に支持させ、このエプロン６の右端部から前記空調機器１２に引出すようにしている。そして、この配線の大部分はエプロン６の後側に固定されるダッシュボード１８でキャビン内から覆い隠され、このダッシュボード１８から引出される部分はダッシュボード１８と空調機器１２とエプロン６とに囲まれる空間に位置するので、運転者や他物が接触するおそれがなくなる。
【００４２】
さて、この実施例によれば、空調機器１２をエプロン６の後側でカバー９の上側のスペースに配置しているので、空調機器１２が運転者の運転台への乗降の妨げになることはなく、左右いずれ側からも同じように容易に運転台に乗降できるようになる上、キャビン内のデッドスペースを有効に利用できることになる。
【００４３】
又、このカバー９の上側のスペースはアクセルペダルやブレーキペダルが配置される運転台のスペースの真横に位置するので、このカバー９の上側に配置した空調機器１２から調整された気流を真横に吹き出すことにより、容易に運転者の足元に調整された気流を送り込める。
【００４４】
更に、この実施例では前記空調機器１２をブラケット１３を介してエプロン６及びカバー９に支持させているので、空調機器１２が強固に、かつ安定よく車体に支持される上、運転台のスペースを空調機器１２が占有しないので、運転台のアクセルペダルなどの操作具を設置する自由度が損なわれることはない。
【００４５】
又更に、この実施例では空調機器１２への配線の大部分がダッシュボード１８に覆われてキャビン内に露出することがなく、又キャビン内に露出する部分はダッシュボード１８や空調機器１２やエプロン６によってガードされているので、この実施例によれば、空調機器１２への配線に運転者が引っ掛けたり、他物が引っ掛ったりするおそれがなくなり、配線が断線するおそれもなくなる。
【００４６】
加えて、前記ステー１４が横外側から見てブラケット１３及び空調機器１２を覆い隠す延板状に形成されているので、この実施例によれば、外観がすこぶる簡素になり、飛躍的に美観を高めることができた。
【００４７】
更に加えて、この実施例では、大掛かりなヒータブラケットをステッププレート３に立上げる大掛かりな改造に代えて、エプロン隅柱７やカバー９というキャビン付きフォークリフトに元々存在する部材を利用し、エプロン隅柱７に１枚のステー１４を固定するという簡単で、小規模な改造で空調機器１２を取付けるので、安価に空調機器１２を装備することができる。
【００４８】
【発明の効果】
以上に説明したように、本発明は、空調機器が、運転台の前面を仕切るエプロンの後側で、左右いずれか一方のティルトシリンダ受けを覆うカバーの上側のスペースに配置され、ブラケットを介して前記エプロン及び／又は左右いずれか一方のカバーに固定されることを特徴とするので、従来の空調機器取付け構造により占拠されていたステッププレートの上側の空間が空くと共に、空調機器が運転台へに乗降の妨げになるおそれがなくなるという作用を得ることができ、この作用により、運転者が左右いずれの方向からも同じように容易に運転台に乗降できるようになるという効果を得ることができる。
【００４９】
又、この作用により、空調機器が、運転台の前面を仕切るエプロンの後側で、左右いずれか一方のティルトシリンダ受けを覆うカバーの上側のスペースに配置されるので、従来デッドスペースになっていたこのスペースを有効に利用できるという効果も得ることができる。
【００５０】
更に、この作用により、前記エプロンの後側で、左右いずれか一方のティルトシリンダ受けを覆うカバーの上側のスペースは運転台に配置されるアクセルペダル、ブレーキペダルなどの操作具が配置されるスペースの真横に位置するので、このカバーの上側に配置した空調機器から調整された気流を真横に吹き出すことにより、容易に運転者の足元に調整された気流を送り込めるという効果を得ることができる。
【００５１】
もちろん、従来の空調機器取付け構造により占拠されていたステッププレートの上側の空間が空くことにより、ステップ周りの外観が簡素になり、その美観を飛躍的に高めることができるという効果も得ることができる。
【００５２】
ところで、本発明において、前記ブラケットがエプロンの横外側縁部に連設されたステーの横内側に固定される立板と、この立板の下縁から横内側に直角に延出される底板と、この底板に連設され、前記カバーに固定されるフランジとを備え、前記底板に前記空調機器が固定されるように構成すれば、空調機器を強固に安定よく車体に支持させることができるという効果を得ることができる。
【００５３】
又、ここで、前記ステーが横外側から見てブラケット及びこれに支持された空調機器を覆い隠す延板状に形成されると、横外側から見た外観がすこぶる簡素になり、飛躍的に美観を高めることができるという効果を得ることができる。
【００５４】
本発明において、前記空調機器への配線及び／又は配管が前記エプロンとその後側に固定されるダッシュボードとの間を通って該空調機器に接続されると、この配線及び／又は配管の大部分がダッシュボードに隠されてキャビン内に露出することがなく、又、ダッシュボードから空調機器に引出される配線及び／又は配管の部分はダッシュボードや、空調機器やエプロンにガードされるので、この配線及び／又は配管を運転者が引っ掛けたり、他物が引っ掛ったりして断線が生じるおそれがなくなるという効果を得ることができる。
【図面の簡単な説明】
【図１】本発明の側面図である。
【図２】本発明の平面図である。
【図３】本発明のブラケットの縦断正面図図である。
【図４】本発明のブラケットの右側面図である。
【図５】本発明のブラケットの平面図である。
【図６】本発明の空調機器の右側面図である。
【図７】本発明の空調機器の平面図である。
【図８】本発明の空調機器の正面図である。
【図９】従来のキャビン付きフォークリフトの側面図である。
【図１０】従来例の側面図である。
【符号の説明】
６　エプロン
８　ティルトシリンダ受け
９　カバー
１２　空調機器
１３　ブラケット
１３ａ　立板
１３ｂ　底板
１３ｃ　フランジ
１４　ステー
１８　ダッシュボード
【図１】
2004091144.tif 000003
【図２】
2004091144.tif 000004
【図３】
2004091144.tif 000005
【図４】
2004091144.tif 000006
【図５】
2004091144.tif 000007
【図６】
2004091144.tif 000008
【図７】
2004091144.tif 000009
【図８】
2004091144.tif 000010
【図９】
2004091144.tif 000011
【図１０】
2004091144.tif 000012